(57)【特許請求の範囲】
【請求項１】
Ｉｎ：０．１〜１．５原子％を含有し、残部がＡｇ及び不可避不純物からなる成分組成を有し、
元素：Ｓｉ、Ｃｒ、Ｆｅ及びＮｉの各々の含有量が、３０ｐｐｍ以下であることを特徴とするＡｇ−Ｉｎ合金スパッタリングターゲット。
【請求項２】
前記元素：Ｓｉ、Ｃｒ、Ｆｅ及びＮｉの各々の合計含有量が、９０ｐｐｍ以下であることを特徴とする請求項１に記載のＡｇ−Ｉｎ合金スパッタリングターゲット。
【請求項３】
Ｓｂ：０．２〜２．０原子％を含有することを特徴とする請求項１又は２に記載のＡｇ−Ｉｎ合金スパッタリングターゲット。
【発明の詳細な説明】
【技術分野】
【０００１】
本発明は、有機エレクトロルミネッセンス（ＥＬ）素子や発光ダイオード（ＬＥＤ）に用いられる反射電極膜を成膜形成するためのＡｇ合金スパッタリングターゲットに関する。
【背景技術】
【０００２】
有機ＥＬ表示装置における有機ＥＬ素子の光の取り出し方式には、透明基板側から光を取り出すボトムエミッション方式と、基板とは反対側に光を取り出すトップエミッション方式とがあるが、開口率の高いトップエミッション方式が、高輝度化には有利である。従来、トップエミッション方式の有機ＥＬ素子では、アノードの金属膜として、Ａｌ又はＡｌ合金や、Ａｇ又はＡｇ合金による反射電極膜が用いられており、この反射電極膜と電界発光層との間には、酸化インジウムスズ（ＩＴＯ）、アルミニウム添加酸化亜鉛（ＡＺＯ等の透明導電膜が設けられている（例えば、特許文献１を参照）。この透明導電膜は、仕事関数が高いという特性から、正孔を有機ＥＬ層に注入するために設けられている。
【０００３】
ここで、反射電極膜は、有機ＥＬ層で発光した光を効率よく反射するために、高反射率であることが望ましい。また、電極としても、低抵抗であることが望ましい。そのような材料として、Ａｇ合金及びＡｌ合金が知られているが、より高輝度の有機ＥＬ素子を得るものとして、可視光反射率が高いことから、Ａｇ合金が優れている。有機ＥＬ素子への反射電極膜の形成には、スパッタリング法が採用されており、銀合金スパッタリングターゲットが用いられている（例えば、特許文献２を参照）。
【０００４】
また、有機ＥＬ素子用反射電極膜の他に、タッチパネルの引き出し配線などの導電性膜にも、Ａｇ合金膜が検討されている。このような配線膜として、例えば、純Ａｇを用いるとマイグレーションが生じて短絡不良が発生しやすくなるため、Ａｇ合金膜の採用が検討されている。
【０００５】
例えば、反射電極膜材料として、高反射率と低抵抗を有するＡｇにＩｎを添加したＡｇ合金を用いることが提案されている。Ｉｎの添加により、ターゲット素材の硬さを向上させるので、機械加工時の反りを抑制する。特に、大型のスパッタリングターゲットの場合には、機械加工時の反りを抑制することが重要である。加えて、Ｉｎは、スパッタリングにより形成された反射電極膜の耐食性、及び、耐熱性を向上させる効果がある。これは、Ｉｎが、反射電極膜中の結晶粒を微細化し、膜の表面粗さを小さくし、また、Ａｇに固溶して結晶粒の強度を高め、結晶粒の再結晶粒化を抑制するので、スパッタリングにより形成された反射電極膜の反射率の低下を抑制することができる。反射電極膜の耐食性、及び、耐熱性の向上は、有機ＥＬ素子の高輝度化、長寿命化に寄与する。
【先行技術文献】
【特許文献】
【０００６】
【特許文献１】特開２００６−２３６８３９号公報
【特許文献２】国際公開第２００２／０７７３１７号
【発明の概要】
【発明が解決しようとする課題】
【０００７】
しかしながら、上記従来の技術においても、以下の課題が残されている。
有機ＥＬ素子においてアノードとなるＡｇ合金膜については、反射電極として低抵抗及び高反射率の特性が求められると共に、上層に形成される透明導電膜の健全性を確保するために、表面粗さが小さいことが求められる。即ち、Ａｇ合金膜の表面粗さが大きいと、Ａｇ合金膜の凹凸により、上層の透明導電膜、さらには、後の工程で形成される有機ＥＬ層を含む電界発光層に欠陥を生じる。これにより有機ＥＬパネルの生産歩留まりが低下することとなる。また、工程雰囲気中に含まれる硫黄分がＡｇ合金膜を硫化し、硫化された領域が欠陥となり、これも歩留まり低下を生じる原因となる。
【０００８】
この様に、従来技術では、十分な低抵抗と高反射率とを備え、さらに小さい表面粗さ及び高い耐硫化性を有するＡｇ合金膜を得ることができなかった。さらに、導電性膜をＬＥＤの反射膜や反射電極膜等に用いる場合には、ＬＥＤの発熱に対して、反射率を良好に維持することができる耐熱性も要求されるが、従来技術によるＡｇ合金膜では、十分な耐熱性が得られないという問題があった。
【０００９】
そこで、この問題点を解消するため、低抵抗かつ高反射率の特性と共に表面粗さが小さく、高い耐硫化性及び耐熱性を兼ね備えた導電性膜を成膜形成できるＡｇ合金スパッタリングターゲットが提案された。この提案されたＡｇ合金スパッタリングターゲットには、Ｓｂが添加されており、成膜されたＡｇ合金膜の表面に、薄いＳｂ酸化物が形成されることによって、低抵抗かつ高反射率の特性を有しながら、小さい表面粗さと高い耐硫化性及び耐熱性とを達成している。
【００１０】
ところで、Ａｇ合金スパッタリングターゲット中に、Ａｇへの固溶度が大きい元素、例えば、Ｓｂ、Ｓｎ、Ｍｇ、Ｐｄ、Ｇａ、Ｚｎなどが、固溶限以内の濃度で添加されている場合には、スパッタリング中に、異常放電が発生することも、スプラッシュが発生することも少ないので、スパッタリングする上では何ら支障がない。しかしながら、Ａｇへの固溶度が小さい元素が存在していると、この元素が酸化され、スパッタリングターゲット中に、酸化物が形成されやすい。この元素を含有するＡｇ−Ｉｎ合金で構成されたＡｇ合金スパッタリングターゲットの場合には、この酸化物に起因して、大電力でのスパッタリング中に、異常放電が発生し易くなり、スプラッシュが発生し易くなるという問題があり、有機ＥＬパネルの一層の精細化に対応できず、歩留まり向上を図れなかった。
【００１１】
一方、有機ＥＬディスプレイパネルの製造工程においては、ＩＴＯ／Ａｇ合金／ＩＴＯの積層膜を使用した反射電極の成膜後、有機物を主成分とする隔壁層を形成し、これを硬化させるためなどの目的で熱処理が行われる。この様に、積層膜が熱処理工程を経た場合には、Ａｇ合金反射膜の反射率が熱処理前後において、低下してしまうという問題があった。
【００１２】
そこで、本発明は、この問題を解決し、有機ＥＬパネルの一層の精細化と、歩留まり向上という要求に応えることができる、より一層の異常放電及びスプラッシュの低減を図ることができる。さらに、Ａｇ−Ｉｎ合金薄膜を熱処理した後においても、反射率の低下を抑制することができるＡｇ−Ｉｎ合金スパッタリングターゲットを提供することを目的とする。
【課題を解決するための手段】
【００１３】
Ａｇへの固溶度が大きい元素をＡｇ合金に添加した場合には、異常放電や、スプラッシュが少ないことについては上述したが、本発明者らは、これとは逆に、Ａｇへの固溶度が小さい元素をＡｇ合金に添加した場合には、その元素が結晶粒界などに偏析しやすく、さらには、その元素が溶解雰囲気中の残留酸素などにより酸化されて酸化物となりやすく、これらの酸化物がＡｇ合金組織中に介在することによって、異常放電やスプラッシュの原因になるという知見を得た。そこで、Ａｇ−Ｉｎ合金スパッタリングターゲットを用いて、Ａｇ−Ｉｎ合金により構成された反射電極膜を成膜するとき、スパッタリング時における異常放電やスプラッシュの発生を低減するためには、上記酸化物になりやすい元素、或いは、不純物の含有量を低減することが重要であることが判明した。
【００１４】
そこで、本発明者らは、スパッタリングターゲットを製造するための原料粉末に含まれており、溶解雰囲気中の残留酸素などにより酸化されて酸化物となる可能性のある元素、即ち、Ｓｉ、Ｃｒ、Ｆｅ及びＮｉに着目し、これらのＳｉ、Ｃｒ、Ｆｅ及びＮｉの含有量を低減することにより、Ａｇ合金組織中に介在する酸化物の生成を抑制して、スパッタリング時の異常放電やスプラッシュを低減するようにした。さらに、Ａｇ−Ｉｎ合金にＳｂを適量添加すると、熱処理による反射率の低下を抑制することができる。
【００１５】
したがって、本発明は、上記知見から得られたものであり、前記課題を解決するために以下の構成を採用した。
（１）本発明によるＡｇ−Ｉｎ合金スパッタリングターゲットは、Ｉｎ：０．１〜１．５原子％を含有し、残部がＡｇ及び不可避不純物からなる成分組成を有し、元素：Ｓｉ、Ｃｒ、Ｆｅ及びＮｉの各々の含有量が、３０ｐｐｍ以下であることを特徴とする。
（２）前記（１）のＡｇ−Ｉｎ合金スパッタリングターゲットは、前記元素：Ｓｉ、Ｃｒ、Ｆｅ及びＮｉの各々の合計含有量が、９０ｐｐｍ以下であることを特徴とする。
（３）前記（１）又は（２）のＡｇ−Ｉｎ合金スパッタリングターゲットは、さらに、Ｓｂ：０．２〜２．０原子％を含有することを特徴とする。
【００１６】
ここで、本発明のＡｇ−Ｉｎ合金スパッタリングターゲットにおける金属成分元素の含有割合を上記のごとく限定した理由は、以下のとおりである。
（１）Ｉｎ：
Ｉｎは、表面粗さを低減すると共に耐硫化性及び耐熱性を高める効果を有するので添加するが、０．１原子％よりも少ないと、この効果が十分発揮されず、一方、Ｉｎを、１．５原子％を超えて含有させると、反射電極膜の比抵抗が増大し、反射率も低下してしまうので、好ましくない。したがって、この発明のＡｇ−Ｉｎ合金スパッタリングターゲットに含まれる全金属成分元素に占めるＩｎの含有割合をＩｎ：０．１〜１．５原子％に定めた。
【００１７】
（２）Ｓｉ、Ｃｒ、Ｆｅ及びＮｉ：
元素：Ｓｉ、Ｃｒ、Ｆｅ及びＮｉは、Ａｇへの固溶度が小さく、結晶粒界などに偏析しやすい。そのため、溶解雰囲気中の残留酸素などにより酸化されて酸化物になりやすく、その酸化物が、Ａｇ合金組織中に介在するように生成される。この酸化物は、異常放電発生、スプラッシュ発生の原因になるので、各元素の含有量をできる限り低減した。
各元素の含有量を低減するのに、例えば、純度３ＮレベルのＡｇ原料を硝酸又は硫酸で浸出した後、所定のＡｇ濃度の電解液を用いて電解精製する方法を採用した。この方法によって、Ａｇ原料中に存在する不純物である、Ｐｂ，Ｎａ，Ｍｇ、Ａｌ、Ｐ、Ｓ、Ｃｌ、Ｋ、Ｃａ、Ｃｏ、Ｃｕ、Ｐｄ、Ｔｈ、Ｕなどの濃度を低減できる。そこで、この精製方法でこれらの不純物が低減されたＡｇ原料について、ＩＣＰ法による不純物分析を実施し、Ｓｉ、Ｃｒ、Ｆｅ及びＮｉの濃度（含有量）が、いずれも３０ｐｐｍ以下であるＡｇ原料を、Ａｇ−Ｉｎ合金スパッタリングターゲットの製造原料とした。
【００１８】
ここで、本発明において、Ｓｉ、Ｃｒ、Ｆｅ及びＮｉの含有量を、いずれも３０ｐｐｍ以下とした理由は、各元素の含有量が３０ｐｐｍを超えると、Ａｇ合金組織中における酸化物が多く介在し、スパッタリング時の異常放電発生、スプラッシュ発生を抑制できなくなるためである。一層好ましくは、１０ｐｐｍ以下である。さらに、各元素の含有量が３０ｐｐｍ以下であっても、各元素の合計含有量が、９０ｐｐｍを超えると、Ａｇ合金組織中における酸化物が多く介在するのと変わらないことになるため、その合計含有量を９０ｐｐｍ以下とし、より一層好ましくは、６０ｐｐｍ以下である。
【００１９】
（３）Ｓｂ：
Ａｇ−Ｉｎ合金スパッタリングターゲットによりスパッタリング成膜されたＡｇ−Ｉｎ合金膜では、積層膜形成の過程で熱処理が施されると、その膜表面の粗さが増加する傾向があるので、熱処理後においては、Ａｇ−Ｉｎ合金膜の反射率が、熱処理前に比して低下する。そのため、Ａｇ−Ｉｎ合金スパッタリングターゲットに、さらに、Ｓｂ：０．２〜２．０原子％を含有させることにより、熱処理前後における反射率の低下を抑制した。
この熱処理後の反射率低下抑制の効果は、Ａｇ−Ｉｎ合金スパッタリングターゲットへのＳｂの添加量として、０．２％未満であっても、また、Ｓｂが２．０％を超えて含有させても得られ難いことから、Ａｇ−Ｉｎ合金スパッタリングターゲットへのＳｂの添加量は、０．２％以上、２．０％以下とした。より一層好ましくは、Ｓｂの範囲は、０．４％以上、１．０％以下である。
【発明の効果】
【００２０】
以上の様に、本発明によるＡｇ−Ｉｎ合金スパッタリングターゲットは、Ｉｎ：０．１〜１．５原子％を含有し、残部がＡｇ及び不可避不純物からなる成分組成を有し、元素：Ｓｉ、Ｃｒ、Ｆｅ及びＮｉの各々の含有量が、３０ｐｐｍ以下であって、さらには、各元素の合計含有量が、９０ｐｐｍ以下であるため、Ａｇ−Ｉｎ合金で構成された反射電極膜をスパッタリング成膜するとき、より一層の異常放電及びスプラッシュの低減を図れる。また、前記Ａｇ−Ｉｎ合金スパッタリングターゲットにＳｂを０．２〜２．０原子％添加したので、そのスパッタリングターゲットによりスパッタリング成膜すると、熱処理による反射率の低下を抑制したＡｇ−Ｉｎ合金膜が得られる。そのため、有機ＥＬパネルの一層の精細化と、歩留まり向上という要求に応えることができ、表示装置や、タッチパネルなどの生産性向上に寄与する。
【発明を実施するための形態】
【００２１】
次に、本発明によるＡｇ−Ｉｎ合金スパッタリングターゲットについて、第１の実施形態と第２の実施形態とに分けて、具体的に、実施例及び比較例を参照しながら、以下に説明する。なお、第１の実施形態は、Ｉｎを含有したＡｇ合金であって、Ｓｉ、Ｃｒ、Ｆｅ及びＮｉの各々の含有量が、３０ｐｐｍ以下であり、その合計含有量が、９０ｐｐｍ以下であるＡｇ−Ｉｎ合金スパッタリングターゲットの場合であり、第２の実施形態は、Ｉｎ及びＳｂを含有したＡｇ合金であって、Ｓｉ、Ｃｒ、Ｆｅ及びＮｉの各々の含有量が、３０ｐｐｍ以下であり、その合計含有量が、９０ｐｐｍ以下であるＡｇ−Ｉｎ合金スパッタリングターゲットの場合である。
【００２２】
〔第１の実施形態〕
先ず、本発明の第１の実施形態によるＡｇ−Ｉｎ合金スパッタリングターゲットを製造するため、原料として、純度９９．９質量％（３Ｎ）以上のＡｇを用意した。このＡｇ原料について、上述した精製方法を実施して、Ｓｉ、Ｃｒ、Ｆｅ及びＮｉの含有量が、いずれも３０ｐｐｍ以下であり、さらには、合計含有量が９０ｐｐｍ以下である条件を満たしたＡｇ原料を選別した。この選別したＡｇ原料と、純度９９．９９質量％以上のＩｎ原料とを所定の組成となるように秤量した。
【００２３】
次に、上記のＡｇ原料を高真空又は不活性ガス雰囲気中で溶解し、得られた溶湯に所定の含有量のＩｎ原料を添加する。その後、真空又は不活性ガス雰囲気中で溶解して、Ｉｎを所定の原子％含んだＡｇ合金の溶解鋳造インゴットを作製した。
【００２４】
ここで、Ａｇの溶解では、雰囲気を一度真空にした後、Ａｒで置換した雰囲気で行い、溶解後、Ａｒ雰囲気の中でＡｇの溶湯にＩｎを添加することが、ＡｇとＩｎとの組成比率を安定に得る観点から好ましい。
【００２５】
得られたインゴットを冷間圧延した後、大気中で例えば６００℃、２時間保持の熱処理を施し、次いで、機械加工することにより、所定寸法（直径１５２．６ｍｍ×厚さ６ｍｍ）の実施例１〜１５及び比較例１〜１２のＡｇ−Ｉｎ合金スパッタリングターゲットを作製した。そして、この作製されたスパッタリングターゲットを無酸素銅製のバッキングプレートに半田付けした。このスパッタリングターゲットが、直流マグネトロンスパッタ装置内に装着され、Ａｇ−Ｉｎ合金薄膜の成膜に供された。なお、実施例１〜１５及び比較例１〜１２のＡｇ−Ｉｎ合金スパッタリングターゲットについて、成分組成分析を行った結果が、表１及び表２に示されている。比較例１〜１２のＡｇ−Ｉｎ合金スパッタリングターゲットの製造には、上述の条件で選別をしなかったＡｇ原料を用いており、Ｓｉ、Ｃｒ、Ｆｅ及びＮｉの各々の含有量が、本発明の含有量の範囲外であるか、或いは、各々の合計含有量が、本発明の合計含有量の範囲外である。
【００２６】
次に、真空排気装置にて直流マグネトロンスパッタ装置内を５×１０−５Ｐａ以下まで排気した後、Ａｒガスを導入して、スパッタガス圧を０．５Ｐａに調整し、続いて、スパッタリングターゲットに、例えば、２５０Ｗの直流スパッタリング電力を印加し、以下の手順で連続放電とその間の異常放電回数の計測を実施した。
【００２７】
上記の装着されたＡｇ−Ｉｎ合金スパッタリングターゲットによるスパッタリング時の異常放電回数を測定するため、先ず、上述の条件で、１時間のプレスパッタリングを実施し、これによりターゲット表面の加工層を除去した。さらに、同条件にて、１時間のスパッタリングを行った。この１時間の間に発生した累積異常放電回数を、使用した直流電源に備えられたアーキングカウント機能を用いて計測した。その測定結果が、表１及び表２の「累積異常放電回数（／ｈ）」欄に示されている。
【００２８】
【表１】
0005522599.tif 000002
【００２９】
【表２】
0005522599.tif 000003
【００３０】
以上の表１から分かるように、実施例１〜１５のＡｇ−Ｉｎ合金スパッタリングターゲットを用いた直流（ＤＣ）スパッタリングでは、異常放電回数が低減されており、異常放電が測定された場合でも、実用上、支障がない頻度であることが確認された。これに対して、表２から分かるように、Ｓｉ、Ｃｒ、Ｆｅ及びＮｉのいずれかの含有量が、３０ｐｐｍを超えているため、その合計含有量が、９０ｐｐｍ以下であっても、異常放電が多発していることが確認された。
【００３１】
以上の様に、実施例１〜１５のＡｇ−Ｉｎ合金スパッタリングターゲットによれば、Ｓｉ、Ｃｒ、Ｆｅ及びＮｉの各々の含有量が、３０ｐｐｍ以下であり、さらには、その合計含有量が９０ｐｐｍ以下であるので、異常放電の発生を低減できることが確認され、有機ＥＬパネルの一層の精細化と、歩留まり向上に貢献できるものである。
【００３２】
〔第２の実施形態〕
次に、本発明の第２の実施形態によるＡｇ−Ｉｎ合金スパッタリングターゲットを製造する場合について、以下に説明する。
第１の実施形態の場合と同様に、ターゲット製造のための原料として、純度９９．９質量％（３Ｎ）以上のＡｇを用意し、このＡｇ原料について、上述した精製方法を実施して、Ｓｉ、Ｃｒ、Ｆｅ及びＮｉの含有量が、いずれも３０ｐｐｍ以下であり、さらには、合計含有量が９０ｐｐｍ以下である条件を満たしたＡｇ原料を選別した。この選別したＡｇ原料と、純度９９．９９質量％以上のＩｎ原料及びＳｂ原料とを所定の組成となるように秤量した。
【００３３】
次に、上記のＡｇ原料を高真空又は不活性ガス雰囲気中で溶解し、得られた溶湯に所定の含有量のＩｎ原料及びＳｂ原料を添加する。その後、真空又は不活性ガス雰囲気中で溶解して、Ｉｎ及びＳｂを所定の原子％含んだＡｇ合金の溶解鋳造インゴットを作製した。
【００３４】
得られたインゴットを冷間圧延した後、大気中で例えば６００℃、２時間保持の熱処理を施し、次いで、機械加工することにより、所定寸法（直径１５２．６ｍｍ×厚さ６ｍｍ）の実施例１６〜３２及び比較例１３〜１６のＳｂ含有Ａｇ−Ｉｎ合金スパッタリングターゲットを作製した。そして、この作製されたスパッタリングターゲットを無酸素銅製のバッキングプレートに半田付けした。このスパッタリングターゲットが、直流マグネトロンスパッタ装置内に装着され、Ａｇ−Ｉｎ−Ｓｂ合金薄膜の成膜に供された。なお、実施例１６〜３２及び比較例１３〜１６のＳｂ含有Ａｇ−Ｉｎ合金スパッタリングターゲットについて、成分組成分析を行った結果が、表３及び表４に示されている。比較例１３〜１６のＳｂ含有Ａｇ−Ｉｎ合金スパッタリングターゲットの製造には、上述の条件で選別をしなかったＡｇ原料を用いており、Ｓｉ、Ｃｒ、Ｆｅ及びＮｉの各々の含有量が、本発明の含有量の範囲外であるか、或いは、各々の合計含有量が、本発明の合計含有量の範囲外である。
【００３５】
次に、真空排気装置にて直流マグネトロンスパッタ装置内を５×１０−５Ｐａ以下まで排気した後、Ａｒガスを導入して、スパッタガス圧を０．５Ｐａに調整し、続いて、スパッタリングターゲットに、例えば、２５０Ｗの直流スパッタリング電力を印加し、以下の手順で連続放電とその間の異常放電回数の計測を実施した。
【００３６】
上記の装着されたＳｂ含有Ａｇ−Ｉｎ合金スパッタリングターゲットによるスパッタリング時の異常放電回数を測定するため、先ず、上述の条件で、１時間のプレスパッタリングを実施し、これによりターゲット表面の加工層を除去した。さらに、同条件にて、１時間のスパッタリングを行った。この１時間の間に発生した累積異常放電回数を、使用した直流電源に備えられたアーキングカウント機能を用いて計測した。その測定結果が、表３及び表４の「累積以上放電回数（／ｈ）」欄に示されている。
【００３７】
さらに、実施例１〜１５及び比較例１〜１２のＡｇ−Ｉｎ合金スパッタリングターゲットと、実施例１６〜３２及び比較例１３〜１６のＳｂ含有Ａｇ−Ｉｎ合金スパッタリングターゲットとについて、熱処理前後の反射率の変化を測定した。
【００３８】
上記熱処理試験を行うにあたり、実施例１〜３２及び比較例１〜１６のＡｇ合金スパッタリングターゲットならびに市販の直径１５２．４ｍｍ×直径６ｍｍのＩＴＯターゲットを、直流マグネトロンスパッタ装置のチャンバー内に装着して、ＩＴＯ膜／Ａｇ−Ｉｎ合金膜／ＩＴＯ膜及びＩＴＯ膜／Ａｇ−Ｉｎ−Ｓｂ合金膜／ＩＴＯ膜の積層構造をスパッタリングにより作製した。
【００３９】
具体的には、真空排気装置にて上記のスパッタ装置内を５×１０−５Ｐａ以下まで排気した後、上記スパッタリングターゲットと平行に配置した５０ｍｍ角の洗浄済みガラス基板（コーニング社製イーグルＸＧ）に対し、以下に示すスパッタ条件にて、成膜した。その成膜は、ＩＴＯ膜、Ａｇ−Ｉｎ合金膜又はＡｇ−Ｉｎ−Ｓｂ合金膜、ＩＴＯ膜の順で行われ、真空を破らずに連続で成膜した。ＩＴＯ膜、Ａｇ−Ｉｎ合金膜、Ａｇ−Ｉｎ−Ｓｂ合金膜の成膜条件は次のとおりとした。
＜ＩＴＯ膜＞
電力：直流５０Ｗ
ガス全圧：０．６７Ｐａ
ガス：Ａｒガス及びＯ２ガス
Ａｒ／Ｏ２流量比：５０／１
ターゲットと基板との距離：７０ｍｍ
基板加熱：なし
膜厚：１０ｎｍ
＜Ａｇ−Ｉｎ合金膜及びＡｇ−Ｉｎ−Ｓｂ合金膜＞
電力：直流２５０Ｗ
ガス全圧：０．３Ｐａ
ガス：Ａｒガス
ターゲットと基板との距離：７０ｍｍ
基板加熱：なし
膜厚：３５０ｎｍ
ここで、成膜された実施例１〜１５及び比較例１〜１２のＡｇ−Ｉｎ合金膜の組成については、表１及び表２に示す。また、実施例１６〜３２及び比較例１３〜１６のＡｇ−Ｉｎ−Ｓｂ合金膜の組成については、表３及び表４に示す。
【００４０】
＜反射率測定＞
分光光度計（日立ハイテクノロジーズ社製  Ｕ−４１００）により波長３８０ｎｍ〜８００ｎｍの範囲で、実施例１〜１５及び比較例１〜１２のＩＴＯ膜／Ａｇ−Ｉｎ合金膜／ＩＴＯ積層膜（以下、Ａｇ−Ｉｎ合金積層膜という）と、実施例１６〜３０及び比較例１３〜１６のＩＴＯ膜／Ａｇ−Ｉｎ−Ｓｂ合金膜／ＩＴＯ積層膜（以下、Ａｇ−Ｉｎ−Ｓｂ合金積層膜という）とについて、熱処理試験を実施する前と、実施した後とにおける反射率をそれぞれ測定した。ここで、熱処理試験は、大気中において２５０℃で１時間の熱処理をすることにより行われ、反射率の測定には、可視光（３８０ｎｍ〜８００ｎｍ）の代表的な波長として波長５５０ｎｍを選択した。測定された反射率は、実施例１〜１５のＡｇ−Ｉｎ合金積層膜に関して、表１の「熱処理試験前膜反射率（％）」欄及び「熱処理試験前膜反射率（％）」欄に、そして、比較例１〜１２のＡｇ−Ｉｎ合金積層膜に関して、表２の「熱処理試験前膜反射率（％）」欄にそれぞれ示されている。また、実施例１６〜３２のＡｇ−Ｉｎ−Ｓｂ合金積層膜に関して、表３の「熱処理試験前膜反射率（％）」欄及び「熱処理試験前膜反射率（％）」欄に、そして、比較例１３〜１６のＡｇ−Ｉｎ−Ｓｂ合金積層膜に関して、表４の「熱処理試験前膜反射率（％）」欄にそれぞれ示されている。
【００４１】
【表３】
0005522599.tif 000004
【００４２】
【表４】
0005522599.tif 000005
【００４３】
以上の表３から分かるように、実施例１６〜３２のＳｂ含有Ａｇ−Ｉｎ合金スパッタリングターゲットを用いた直流（ＤＣ）スパッタリングでは、異常放電回数が低減されており、異常放電が測定された場合でも、実用上、支障がない頻度であることが確認された。このことに加えて、実施例１６〜３２のＳｂ含有Ａｇ−Ｉｎ合金スパッタリングターゲットにより成膜されたＡｇ−Ｉｎ−Ｓｂ合金積層膜に関して、熱処理試験前後で反射率低下を抑制できることが確認された。なお、表１に示されるように、Ｓｂを含有していないＡｇ−Ｉｎ合金スパッタリングターゲットの場合には、熱処理試験前後で反射率が低下した。また、表４から分かるように、比較例１３〜１６のＳｂ含有Ａｇ−Ｉｎ合金スパッタリングターゲットでは、Ｓｉ、Ｃｒ、Ｆｅ及びＮｉのいずれかの含有量が、３０ｐｐｍを超え、その合計含有量も、９０ｐｐｍを超えており、異常放電が多発していることが確認された。
【００４４】
以上の様に、第１の実施形態の場合と同様に、実施例１６〜３２のＳｂ含有Ａｇ−Ｉｎ合金スパッタリングターゲットによれば、Ｓｉ、Ｃｒ、Ｆｅ及びＮｉの各々の含有量が、３０ｐｐｍ以下であり、さらには、その合計含有量が９０ｐｐｍ以下であるので、異常放電の発生を低減できることが確認され、有機ＥＬパネルの一層の精細化と、歩留まり向上に貢献できるものである。
【要約】      （修正有）【課題】有機ＥＬのアノードとなる反射電極膜であるＡｇ合金膜は低抵抗及び高反射率が求められ、表面の粗さが小さいことが求められる。Ａｇ−Ｉｎ合金による反射電極膜を成膜するスパッタリング時に、異常放電やスプラッシュの発生を低減したＡｇ−Ｉｎ合金スパッタリングターゲットを提供する。【解決手段】Ａｇ−Ｉｎ合金スパッタリングターゲットは、Ｉｎ：０．１〜１．５原子％を含有し、残部がＡｇ及び不可避不純物からなる成分組成を有し、元素：Ｓｉ、Ｃｒ、Ｆｅ及びＮｉの各々の含有量が、３０ｐｐｍ以下であり、さらには、その合計含有量が、９０ｐｐｍ以下である。Ｓｂは、０．２〜２．０原子％含有する。【選択図】なし